(57)【要約】【課題】引上操作を受けるスイッチであっても、ハウジングに挿入することでパネルに確実に取り付けられるスイッチ取付構造を提案する。【解決手段】嵌合取付片２５が形成されたハウジング２を備えるスイッチ１および取付孔１０２が形成されたパネル１３を用意する。嵌合取付片２５は上方へ突出する凸部２７を有するとともに、取付孔１４には外方へ窪む凹部１５が形成されている。パネル１３の取付孔１４にスイッチ１のハウジング２を挿入する。嵌合取付片２５で取付孔１４の内周面を押圧する。取付孔１０２への挿入後、凸部２７と凹部１５とを嵌合させる。【選択図】図６
2018186027.tif 000002
【特許請求の範囲】
【請求項１】
ハウジングと、該ハウジングに揺動自在に支持され、引上操作を受けるレバーと、前記ハウジングの側面に片持支持され上方へ延びる取付片とを備えたスイッチを、パネルに形成された取付孔に前記ハウジングを挿入し、前記取付片で前記取付孔の内周面を押圧することにより、前記パネルへ固定するスイッチ取付構造であって、
前記取付片が、該取付片の自由端部に前記上方へ突出する凸部を有し、
前記取付孔には外方へ窪む凹部が形成されており、
前記挿入後、前記凸部と前記凹部を嵌合させることを特徴とするスイッチ取付構造。
【請求項２】
前記取付片が、複数の前記凸部を階段状に有し、前記取付孔が、前記複数の凸部のうち、いずれか１つの凸部と嵌合する幅を有することを特徴とする請求項１に記載のスイッチ取付構造。
【請求項３】
前記凹部が、前記パネルの厚みに対応した幅寸法を有することを特徴とする請求項２に記載のスイッチ取付構造。
【請求項４】
前記レバーが、前記レバーを押し下げる押下操作も受けるものであり、前記引上操作または前記押下操作を受けた後、その姿勢を保持することを特徴とする請求項１〜３のいずれか１項に記載のスイッチ取付構造。
【請求項５】
請求項１〜４のいずれか１項に記載のスイッチ取付構造を用いたことを特徴とするスイッチ。
【発明の詳細な説明】
【技術分野】
【０００１】
本発明は、パネルの取付孔に嵌め込むことにより、パネルへ取り付けるスイッチ取付構造およびこれを用いたスイッチに関する。
【背景技術】
【０００２】
従来から、民生機器や産業機器等には、ユーザの押下操作を受けて操作部がシーソー動作を行う、いわゆるロッカスイッチが広く利用されている。そして、多くのロッカスイッチは、各種機器の操作パネルに形成された取付孔に嵌め込んで使用されることが多い。
【０００３】
特許文献１には、スイッチをパネルの取付孔に挿入し、ハウジングに設けられたフランジとパネルの上面とを当接させる。そして、挿入した後、ハウジングに設けられた取付片が取付孔の内周面を押圧することにより、パネルに取り付ける技術が提案されている。
【０００４】
また、特許文献１に提案される技術では、押下による操作力は、フランジを介してパネルへ伝達される。したがって、スイッチが押下操作を繰り返し受けても、取付孔から外れたり、浮き上がったりすることを防止できる。
【先行技術文献】
【特許文献】
【０００５】
【特許文献１】特開２０００−１６４０７５号公報
【発明の概要】
【発明が解決しようとする課題】
【０００６】
しかしながら、スイッチが引上操作を受ける場合、特許文献１の技術では、引上による操作力を取付片で保持する必要がある。したがって、取付片の押圧力が不足すると、引上操作によりスイッチが取付孔から外れたり、浮き上がる虞がある。
【０００７】
本発明の目的は、上記事情に鑑み、パネルに形成された取付孔にハウジングを挿入することにより、パネルに取り付けるスイッチ取付構造において、引上操作を受けるスイッチであっても確実にパネルに固定することである。
【課題を解決するための手段】
【０００８】
本発明のスイッチ取付構造は、ハウジングと、このハウジングに揺動自在に支持され、引上操作を受けるレバーと、ハウジングの側面に片持支持され上方へ延びる取付片とを備えたスイッチを、パネルに形成された取付孔にハウジングを挿入し、取付片で取付孔の内周面を押圧することにより、パネルへ固定するスイッチ取付構造であって、取付片が、この取付片の自由端部に上方へ突出する凸部を有し、取付孔には外方へ窪む凹部が形成されており、挿入後、凸部と凹部を嵌合させることを特徴とする。
【０００９】
ここで、本発明における「引上操作を受ける」とは、引上操作のみを受けることを意味するものではなく、引上および押下の両方の操作を受けることを含む意味である。上記「外方へ窪む」とは、取付孔が外方へ広がる方向に窪むことを意味する。
【００１０】
また、本発明において、取付片が、複数の凸部を階段状に有し、取付孔が、複数の凸部のうち、いずれか１つの凸部と嵌合する幅を有するものであってもよい。
【００１１】
ここで、上記「階段状」とは、取付片の延伸方向に複数の凸部が並んでいる状態を意味する。
【００１２】
また、本発明において、凹部は、パネルの厚みに対応した幅寸法を有するものでもよい。
【００１３】
ここで、上記「パネルの厚みに対応する」とは、パネルの厚みに応じて、複数の凸部のうち、凹部と嵌合する凸部が特定されることを意味する。
【００１４】
また、本発明は、レバーが、先端を押し下げる押下操作も受けるものであり、引上操作または押下操作を受けた後、その姿勢を保持するものであってもよい。
【００１５】
ここで、上記「姿勢を保持」とは、次の操作を受けるまで、その姿勢を維持していることを意味する。
【発明の効果】
【００１６】
本発明によれば、パネルの取付孔にハウジングを挿入し、取付片で取付孔の内周面を押圧するとともに、取付片の自由端部側にある凸部を取付孔の凹部に嵌合させることにより、引上による操作力は凸部と凹部との嵌合を介してパネルへ伝達されるため、引上操作を受けてもスイッチが取付孔から外れたり、浮き上がったりすることを防止できる。
【００１７】
また、本発明によれば、取付片が階段状に複数の凸部を有し、取付孔がいずれか１つの凸部と嵌合する幅を有する場合、取付孔の寸法に余裕を持たせつつ、取付孔から外れたり、浮き上がったりすることを防止できる。
【００１８】
また、本発明によれば、凹部が、パネルの厚みに対応する幅を有する場合、パネル厚のバリエーションに対応可能であるとともに、取付孔から外れたり、浮き上がったりすることを防止できる。
【図面の簡単な説明】
【００１９】
【図１】本発明の実施形態に係るスイッチの押下状態の斜視図
【図２】本発明の実施形態に係るスイッチの引上状態の斜視図
【図３】本発明の実施形態に係るスイッチの右側面図
【図４】本発明の実施形態に係るスイッチの押下状態の断面図
【図５】本発明の実施形態に係るスイッチの引上状態の断面図
【図６】本発明の実施形態に係るスイッチの取付態様を示す図
【図７】本発明の実施形態に係るスイッチのパネル取付状態の斜視図
【図８】本発明の実施形態に係るスイッチの取付態様の断面図
【発明を実施するための形態】
【００２０】
本発明の実施形態について図面を用いて詳細に説明する。最初に本発明の一実施形態に係るスイッチ１の構成を説明する。スイッチ１は、本発明の一実施形態であるスイッチ取付構造を備えたものである。図１は押下状態にあるスイッチ１を正面側左斜め上方より見た斜視図、図２は引上状態にあるスイッチ１を正面側左斜め上方より見た斜視図、図３は押下状態にあるスイッチ１の右側面図をそれぞれ示す。
【００２１】
スイッチ１は、ハウジング２と、ハウジング２に揺動自在に支持されたレバー３とを備える。ハウジング２は略直方体の形状である。また、ハウジング２の上部には操作凹部２１が形成されている。ユーザは、操作凹部２１に指を差し込み、レバー３を引き上げ、レバー３の天面３１を押下してレバー３を押し下げる。このように、レバー３は、ユーザから引上操作または押下操作の両方を受ける。
【００２２】
また、ハウジング２の上面には一対のリブ２２が形成されている。また、ハウジング２はフランジ２３を有している。ハウジング２の材質は、絶縁性を有するものであれば、特に限定されるものではなく、たとえば公知な樹脂材料であってもよい。そして、ハウジング２の形状も特に限定されず、立方体状や円柱状であってもよい。
【００２３】
レバー３は、引上操作を受けると、レバー３の天面３１とリブ２２とが略面一となる位置まで上方へ傾き、押下操作を受けると、天面３１が略水平となる。
【００２４】
リブ２２は、側方からのレバー３の押下操作を防止する。すなわち、リブ２２は、レバー３への不用意な押下操作を防止するものである。レバー３の材料は、特に限定されず、公知な樹脂、金属、非金属であってよい。
【００２５】
また、レバー３の基端側となるハウジング２の側面には、押圧取付片２４が形成されている。また、レバー３の先端側となるハウジング２の側面には嵌合取付片２５が形成されている。
【００２６】
図４は、押下操作を受けた状態、図５は、引上操作を受けた状態の断面図をそれぞれ示している。スイッチ１は、レバー３と連動して揺動する連結子４と、ハウジング２に揺動自在に支持され、連結子４と連結する転換子５と、転換子５に挿入保持されるバネ６と、バネ６により付勢される滑動棒７とを備える。
【００２７】
連結子４および転換子５の材質は、特に限定されず、公知な樹脂、金属または非金族であってもよい。また、バネ６の材質も公知なバネ材であってよく、滑動棒７の材質も、剛性を有するものであれば特に限定されず、金属材料であることが望ましい。
【００２８】
さらに、スイッチ１は、ハウジング２の底部に保持される接触端子８と、接触端子５０の先端に固定される固定接点９と、ハウジング２の底部に保持される共通端子１０と、共通端子１０に係止された可動接片１１と、可動接片１１の先端に固定される可動接点１２とを備えている。
【００２９】
接触端子８、共通端子１０および可動接片１１の材質は、導電性を有するものであれば特に限定されず、公知な金属材料であることが望ましい。また、固定接点９および可動接点１２の材質も公知な接点材料であってよい。
【００３０】
滑動棒７は、バネ６の付勢力により、可動接片１１を押圧している。滑動棒７は、転換子５が揺動することにより、可動接片１１上を滑動する。そして、可動接片１１は、滑動棒７が共通端子１０上を通過する度に、シーソー動作を行い、反対側へ傾倒する。
【００３１】
次にスイッチ１の作用を説明する。レバー３を引き上げると、レバー３とともに連結子４が上方へ傾く。そして、連結子４を介して転換子５が揺動し、滑動棒７が可動接片１１上を滑動する。そして、固定接点９と可動接点１２とが開離して電路を遮断する。
【００３２】
そして、レバー３を押し下げると、レバー３とともに連結子４が下方へ傾く。連結子４を介して転換子５が揺動し、滑動棒７が可動接片１１上を滑動する。そして、固定接点９と可動接点１２とが接触して電路を導通させる。
【００３３】
また、スイッチ１は、引上または押下の操作を受けると、次の操作を受けるまでその姿勢を保持する。また、スイッチ１は、電路の遮断または導通をさせるための操作の方向が正反対であり、従来のスイッチが、電路の遮断または導通をさせるための操作がいずれも押下操作であったことを鑑みると、誤操作防止を図れる。
【００３４】
次にスイッチ１をパネル１３に取り付ける態様を説明する。図６はスイッチ１のパネル１３への取付態様を示す図、図７はスイッチ１をパネル１３へ取り付けた状態を示す、図８はスイッチ１をパネル１３へ取り付けた状態の断面図をそれぞれ示す。
【００３５】
パネル１３には取付孔１４が形成されている。取付孔１４は、略矩形状を有しているが、その形状は、スイッチ１の外形に対応したものであり、特に限定されるものではない。スイッチ１は、上方からハウジング２を取付孔１４へ挿入し、フランジ２３をパネル１３に当接させる。
【００３６】
ここで、押圧取付片２４の作用を説明する。押圧取付片２４は、ハウジング２の底部に片持支持され、上方に延びる２つの板状バネからなる。押圧取付片２４の自由端部には、複数の段部２６が形成されている。スイッチ１をパネル１３へ取り付けた状態において、押圧取付片２４が、段部２６で取付孔１４の内周面を押圧することにより、スイッチ１をパネル１３に固定する。
【００３７】
次に嵌合取付片２５の作用を説明する。嵌合取付片２５は、ハウジング２の底部に片持支持され上方に延びている。また、嵌合取付片２５は、逆U字の形状を有している。嵌合取付片２５の形状は、特に限定されず、たとえば先端中央部分が分離している形状であってもよい。嵌合取付片２５の自由端側には、上方に突出する凸部２７が階段状に複数形成されている。なお、それぞれの凸部２７の幅は互いに異なっている。
【００３８】
ここで、取付孔１４の嵌合取付片２５に対応する位置には、外方へ窪む凹部１５が形成されている。フランジ２３がパネル１３に当接する位置まで、ハウジング２を取付孔１４に挿入すると、嵌合取付片２５が外側へ広がり、複数の凸部２７の１つが凹部１５と嵌合する。
【００３９】
凹部１５は、嵌合する凸部２７との間にガタツキが生じない程度の幅を有していることが望ましい。また、嵌合状態において、嵌合した凸部２７の直下の凸部２７がパネル１３の裏面と略当接することが望ましい。
【００４０】
また、それぞれの凸部２７の高さは、パネル１３の想定される厚みに対応するよう、互いに異なることが望ましい。また、凹部１５は、パネル１３の厚みに応じて寸法を変えることにより、複数の凸部２７のうち、対応する凸部２７を特定して嵌合させることが可能である。
【００４１】
以上に説明した通り、本実施形態によれば、ハウジング２を取付孔１４に挿入すると、嵌合取付片２５が外側へ広がり、凸部２７が凹部１５と嵌合する。したがって、レバー３の引上による操作力は、凸部２７と凹部１５との嵌合を介してパネル１３へ伝わるため、スイッチ１がパネル１３から外れたり、浮き上がることを防止できる。
【００４２】
また、嵌合取付片２５には、互いに異なる幅を有する複数の凸部２７が形成されているため、凹部１５の幅寸法をパネル１３の厚みに対応させて形成することにより、様々な厚みに対応できる。
【００４３】
また、スイッチ１は、レバー３の先端側にのみに嵌合取付片２５を形成しているが、レバー３の基端側も嵌合取付片２５としてもよい。その場合、取付孔１４は、レバー３の先端側および基端側の両方に対応する部分に凹部１５を形成する。
【００４４】
また、本実施形態においてはスイッチ１を用いて説明したが、本発明は引上操作を受けるスイッチであれば適用可能である。また、本発明は、以上に説明した実施形態に限定されるものではなく、本発明の趣旨を逸脱しない限り適宜変更することができる。
【符号の説明】
【００４５】
幅寸法
１    スイッチ
２    ハウジング
３    レバー
１３  パネル
１４  取付孔
１５  凹部
２５  嵌合取付片（取付片）
２７  凸部
【図１】
2018186027.tif 000003
【図２】
2018186027.tif 000004
【図３】
2018186027.tif 000005
【図４】
2018186027.tif 000006
【図５】
2018186027.tif 000007
【図６】
2018186027.tif 000008
【図７】
2018186027.tif 000009
【図８】
2018186027.tif 000010